(57)【要約】【課題】受験者が自身の試験の出来具合を推定し易くする。【解決手段】受信手段１１１は、与えられた選択肢の中から解答を選択する形式の複数の設問を含む試験について、複数の受験者の各々が複数の設問の各々において選択した選択肢を示すデータを受信する。集計手段１１２は複数の設問の各々において複数の受験者により選択された選択肢を集計する。特定手段１１３は、設問毎にその設問において正解とされる数の選択肢を選択した受験者の割合の多い順に特定し、特定した選択肢を特定選択肢とする。算出手段１１４は、特定選択肢と一の受験者によって選択された選択肢とを比較し、受験者の解答と特定選択肢との一致率を算出する。出力手段１１５は、一致率を表示するためのデータ、並びに前記選択肢の割合および一致率の少なくともいずれか一方が予め定められた条件を満たす特定設問を表示するためのデータを出力する。【選択図】図２
2018105897.tif 000002
【特許請求の範囲】
【請求項１】
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と
を備える情報処理装置。
【請求項２】
前記出力手段は、前記割合の降順に前記選択肢を並べた場合に前記正解とされる数の順位の選択肢が選択された割合と当該正解とされる数の次の順位の選択肢が選択された割合との差が小さいことを示す条件を満たす特定設問を表示するためのデータを出力する
請求項１に記載の情報処理装置。
【請求項３】
前記出力手段は、前記特定設問について、前記受験者が議論するための掲示板にアクセスするためのリンクを表示するためのデータを前記クライアント端末に出力する
請求項１または２に記載の情報処理装置。
【請求項４】
前記一致率に基づいて前記一の受験者の合格可能性を推定する推定手段を備え、
前記出力手段は、前記合格可能性を示すデータを前記クライアント端末に出力する
請求項１乃至３のいずれか１項に記載の情報処理装置。
【請求項５】
前記推定手段は、前記特定設問の重み付け係数を他の設問の重み付け係数よりも小さくし、設問毎の重み付け係数を用いて前記受験者毎に前記合格可能性を推定する
請求項４に記載の情報処理装置。
【請求項６】
コンピュータが行う情報処理方法であって、
与えられた選択肢の中から解答を選択する形式の複数の設問を含む試験について、複数の受験者の各々が前記複数の設問の各々において選択した選択肢を示すデータを受信するステップと、
前記受信されたデータに基づいて、前記複数の設問の各々において前記複数の受験者により選択された選択肢を集計するステップと、
前記設問毎に、当該設問において正解とされる数の選択肢を、前記受験者によって選択された割合の多い順に特定し、特定した選択肢を特定選択肢とするステップと、
前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力するステップと
を備える情報処理方法。
【請求項７】
サーバと、クライアント端末とを備え、
前記サーバは、
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と
を有し、
前記クライアント端末は、
前記受験者により選択された前記設問毎の選択肢の入力を受け付ける受付手段と、
前記入力が受け付けられた選択肢を示すデータを前記サーバに送信する送信手段と、
前記サーバにより出力されたデータに従って、前記一致率および前記特定設問を表示装置に表示する表示制御手段と
を有するシステム。
【発明の詳細な説明】
【技術分野】
【０００１】
本発明は、解答を集計する技術に関する。
【背景技術】
【０００２】
ネットワークを介して受講者の解答を採点するシステムが提案されている。例えば特許文献１には、マークシート形式による解答をスキャナで読み取り、当該読み取りデータの受講者を特定する識別情報（ＩＤ）毎に解答を解答データ化し、かつ識別情報（ＩＤ）毎の解答データ及びその採点要求信号を、ネットワークを介してｅラーニングシステムに一括して送信するマークシート併用アダプタ、を有するｅラーニング・マークシート併用教育システムが提案されている。
【先行技術文献】
【特許文献】
【０００３】
【特許文献１】特開２０１４−１２６６９２号公報
【発明の概要】
【発明が解決しようとする課題】
【０００４】
ところで、例えば択一式の試験において、解答が試験後すぐに発表されない場合、受験者は自身の試験の出来具合がどのようであるかを把握することができない。このような試験において、受験者が自身の試験の出来具合を把握することが出来れば好適である。
本発明は、受験者が試験の出来具合を推定し易くすることを目的とする。
【課題を解決するための手段】
【０００５】
本発明は、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段とを備える情報処理装置を提供する。
【０００６】
また、前記出力手段は、前記割合の降順に前記選択肢を並べた場合に前記正解とされる数の順位の選択肢が選択された割合と当該正解とされる数の次の順位の選択肢が選択された割合との差が小さいことを示す条件を満たす特定設問を表示するためのデータを出力してもよい。
また、前記出力手段は、前記特定設問について、前記受験者が議論するための掲示板にアクセスするためのリンクを表示するためのデータを前記クライアント端末に出力してもよい。
【０００７】
また、前記一致率に基づいて前記一の受験者の合格可能性を推定する推定手段を備え、前記出力手段は、前記合格可能性を示すデータを前記クライアント端末に出力してもよい。
また、前記推定手段は、前記特定設問の重み付け係数を他の設問の重み付け係数よりも小さくし、設問毎の重み付け係数を用いて前記受験者毎に前記合格可能性を推定してもよい。
【０００８】
また、本発明は、コンピュータが行う情報処理方法であって、与えられた選択肢の中から解答を選択する形式の複数の設問を含む試験について、複数の受験者の各々が前記複数の設問の各々において選択した選択肢を示すデータを受信するステップと、前記受信されたデータに基づいて、前記複数の設問の各々において前記複数の受験者により選択された選択肢を集計するステップと、前記設問毎に、当該設問において正解とされる数の選択肢を、前記受験者によって選択された割合の多い順に特定し、特定した選択肢を特定選択肢とするステップと、前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力するステップとを備える情報処理方法を提供する。
【０００９】
また、本発明は、サーバと、クライアント端末とを備え、前記サーバは、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段とを有し、前記クライアント端末は、前記受験者により選択された前記設問毎の選択肢の入力を受け付ける受付手段と、前記入力が受け付けられた選択肢を示すデータを前記サーバに送信する送信手段と、前記サーバにより出力されたデータに従って、前記一致率および前記特定設問を表示装置に表示する表示制御手段とを有するシステムを提供する。
【発明の効果】
【００１０】
本発明によれば、受験者が自身の試験の出来具合を推定し易い。
【図面の簡単な説明】
【００１１】
【図１】実施形態に係る解答集計システムの全体構成を表す図
【図２】解答集計システムの機能構成を表す図
【図３】サーバのハードウェア構成を表す図
【図４】クライアント端末のハードウェア構成を表す図
【図５】解答集計システムの動作の一例を示すシーケンス図
【図６】ログイン画面の一例を示す図
【図７】メニュー選択画面の一例を示す図
【図８】解答入力画面の一例を示す図
【図９】集計結果および特定設問を表す画面の一例を示す図
【図１０】掲示板の画面の一例を示す図
【図１１】一致率および合格可能性を表す画面の一例を示す図
【発明を実施するための形態】
【００１２】
［１］実施形態
［１−１］全体構成
図１は一実施形態に係る解答集計システム１の全体構成を例示する図である。解答集計システム１は、受験者の試験の解答を集計するサービス（以下「解答集計サービス」という）を提供するためのシステムである。解答集計システム１が集計の対象とする試験は、例えば、学校のテストや入学試験、専門の資格やライセンスをとるための試験である。解答集計システム１は、特に、設問数が多く、解答が発表されるまでに要する時間が長い試験、例えば医師国家試験に対して好適である。解答集計システム１は、ネットワーク２、サーバ１０、およびクライアント端末２０を備える。ネットワーク２は、装置間の情報のやり取りを仲介する。ネットワーク２は、例えば、インターネットおよび移動体通信網を含む。サーバ１０およびクライアント端末２０はネットワーク２に接続して情報をやり取りする。サーバ１０は、複数の受験者の解答を集計する処理を行う。クライアント端末２０は、スマートフォン、タブレット端末、またはパーソナルコンピュータなどの情報処理装置である。クライアント端末２０は、試験の解答を入力する操作を受け付ける処理や、集計結果を表示する処理などを行う。
【００１３】
［１−２］機能構成
図２は解答集計システム１の機能構成を例示する図である。受信手段１１１は、与えられた選択肢の中から解答を選択する形式の複数の設問を含む試験（多肢選択式試験）について、複数の受験者の各々が複数の設問の各々において選択した選択肢を示すデータを受信する。集計手段１１２は、受信手段１１１により受信されたデータを記憶し、記憶されたデータに基づいて、複数の設問の各々において複数の受験者により選択された選択肢を集計する。
【００１４】
特定手段１１３は、設問毎に、各設問において正解とされる数の選択肢を、前記受験者によって選択された割合（得票率）の多い順に特定し、特定した選択肢を特定選択肢とする。例えば、択一式試験において、各設問において正解とされる選択肢の数は１つである。別の例で、「正しい選択肢を２つ選べ」という設問において正解とされる選択肢の数は２つである。特定選択肢は、例えば択一式試験において選択した受験者が最も多い選択肢であり、正解である可能性が極めて高い選択肢である。算出手段１１４は、複数の受験者のうち対象となる一の受験者について、特定選択肢とその一の受験者によって選択された選択肢とを比較し、複数の設問におけるその一の受験者の解答と特定選択肢との一致率を算出する。
【００１５】
出力手段１１５は、一の受験者のクライアント端末において一致率を表示するためのデータ、および複数の設問の各々において各設問に含まれる２以上の選択肢の割合の関係性が予め定められた条件を満たす特定設問（割れ問）を表示するためのデータを出力する。特定設問は、例えば、得票率の降順に選択肢を並べた場合に正解とされる数の順位（ｎ位（ｎは自然数））の選択肢が選択された割合と正解とされる数の次の順位（（ｎ＋１）位）の選択肢が選択された割合との差が小さいことを示す条件を満たす設問である。
【００１６】
推定手段１１６は、算出手段１１４が算出した一致率に基づいて一の受験者の合格可能性を推定する。記憶手段１１７は、各種のデータを記憶する。この例で、記憶手段１１７は、試験の問題文および各選択肢のデータを記憶する。受信手段１１１、集計手段１１２、特定手段１１３、算出手段１１４、出力手段１１５、推定手段１１６、および記憶手段１１７は、サーバ１０に実装される。
【００１７】
受付手段２１１は、受験者により選択された設問毎の選択肢の入力を受け付ける。送信手段２１２は、入力が受け付けられた選択肢を示すデータをサーバ１０に送信する。表示制御手段２１３は、サーバ１０により出力されたデータに従って、一致率および特定設問を表示手段２１４に表示させる。表示手段２１４は、各種の情報を表示する。この例で、受付手段２１１、送信手段２１２、表示制御手段２１３、および表示手段２１４は、クライアント端末２０に実装される。
【００１８】
図３はサーバ１０のハードウェア構成を表す。サーバ１０は、クライアント端末２０とやり取りする情報を処理する情報処理装置（コンピュータ装置）である。サーバ１０は、各種データを記憶するメモリ１０１と、メモリ１０１に記憶されているプログラムに従ったデータ処理を行うプロセッサ１０２と、データ通信を行うインタフェースである通信ＩＦ１０３を備える。メモリ１０１は、各種のデータおよびプログラムを記憶するＨＤＤまたはＳＳＤ等のストレージを含む。
【００１９】
この例で、サーバ１０のメモリ１０１は、コンピュータ装置に図２のサーバ１０の機能を実装するためのプログラムを記憶する。このプログラムを実行しているプロセッサ１０２は、受信手段１１１、集計手段１１２、特定手段１１３、算出手段１１４、出力手段１１５、および推定手段１１６の一例である。
【００２０】
図４はクライアント端末２０のハードウェア構成を表す。クライアント端末２０は、メモリ２０１、プロセッサ２０２、通信ＩＦ２０３、およびタッチディスプレイ２０４を有するコンピュータ装置であり、具体的には例えばスマートフォンまたはタブレット端末である。メモリ２０１は、各種のデータおよびプログラムを記憶するＨＤＤまたはＳＳＤ等のストレージを含む。プロセッサ２０２は、メモリ２０１に記憶されているプログラムに従ったデータ処理を行う。通信ＩＦ２０３はデータ通信を行うインタフェースである。タッチディスプレイ２０４は、表示装置（例えば液晶ディスプレイ）と入力装置（例えばタッチパネル）が一体として構成されたユーザインタフェースである。
【００２１】
この例で、クライアント端末２０のメモリ２０１は、コンピュータ装置に図２のクライアント端末２０の機能を実装するためのプログラムを記憶する。このプログラムを実行しているプロセッサ２０２は、受付手段２１１、送信手段２１２および表示制御手段２１３の一例である。タッチディスプレイ２０４は、表示手段２１４の一例である。
【００２２】
［１−３］動作
図５は、解答集計システム１の動作の一例を示すシーケンス図である。この動作例では、ある特定の試験（以下「対象試験」という）について受験者の解答を集計し、結果を表示する動作を説明する。対象試験は、与えられた選択肢の中から解答を選択する形式の複数の設問を含む。この例で、まず、受験者は、クライアント端末２０の表示装置（例えばタッチディスプレイ２０４）を操作し、解答集計システム１のログイン画面を表示するための操作を行う。この例で、解答集計システム１は事前のユーザ登録を要する。受験者は、事前にユーザ登録を行う。ユーザ登録の際、受験者は自身のユーザプロファイル（一例としては、氏名、住所、年齢、学歴等）を入力する。ユーザ登録が完了した受験者にはユーザＩＤおよびパスワードが与えられる。ステップＳ１において、クライアント端末２０は、受験者の操作に応じてＷｅｂブラウザを起動し、解答集計システムのログイン画面の取得要求をサーバ１０へ送信する。
【００２３】
クライアント端末２０から取得要求を受信すると、サーバ１０は、受信した取得要求に対応するログイン画面を表すデータをクライアント端末２０へ送信する（ステップＳ２）。ステップＳ３において、クライアント端末２０は、サーバ１０からデータを受信し、受信されたデータの表すログイン画面を表示装置に表示する。
【００２４】
図６は、クライアント端末２０で表示されるログイン画面の一例を示す図である。図６の例では、ログインを行うためのテキスト入力ボックスおよびボタンが表示される。なお、ユーザ登録を未だ行っていない受験者は、この画面においてユーザ登録を行うための操作を行い、ユーザ登録を行う。
【００２５】
図６の画面において、受験者は、自身のユーザＩＤおよび／またはパスワード（以下「ログイン情報」という）を入力し、ログインボタンを押下する。ステップＳ４において、クライアント端末２０は、入力されたログイン情報をサーバ１０へ送信する。ステップＳ５において、サーバ１０は、クライアント端末２０から受信されたログイン情報を用いてユーザ認証を行う。認証に成功した場合、サーバ１０は、ステップＳ６において、解答集計システム１の機能を選択するための画面（以下「メニュー選択画面」という）のデータをクライアント端末２０へ送信する。なお、認証に失敗した場合、サーバ１０は、メニュー選択画面のデータの送付を行うことなく、認証に失敗した旨を示すデータをクライアント端末２０へ送信する。
【００２６】
ステップＳ７において、クライアント端末２０は、サーバ１０から受信されたデータに従ってメニュー選択画面を表示装置に表示する。メニュー選択画面は、解答集計サービスにおいて提供されるメニューを含む。
【００２７】
図７は、メニュー選択画面の一例を示す図である。図７の画面において、受験者は、「解答入力」、「集計結果を表示」および「一致率を表示」のメニューが選択可能となっている。「解答入力」は対象試験において受験者が選択した選択肢（すなわち受験者の解答）を入力するためのメニューである。「集計結果を表示」は解答集計システム１による集計結果を表示するためのメニューである。「一致率を表示」は、ログインしている受験者の選択結果と、解答集計システム１により特定された特定選択肢との一致率を表示するためのメニューである。受験者は、まず、「解答入力」のメニューを選択する。
【００２８】
受験者によって「解答入力」のメニューが選択されると、ステップＳ８において、クライアント端末２０は、受験者が解答を入力するための画面（以下「解答入力画面」という）のデータの取得要求をサーバ１０に送信する。サーバ１０は、ステップＳ９において、クライアント端末２０からの取得要求に応じて、解答入力画面のデータをクライアント端末２０へ送信する。ステップＳ１０において、クライアント端末２０は、受信されたデータに応じて、解答入力画面を表示し、受験者により選択された設問毎の選択肢の入力を受け付ける。
【００２９】
図８は、解答入力画面の一例を示す図である。図８の画面には、対象試験に含まれる各設問について、受験者が選択肢を選択するためのチェックボックスが表示される。図８の画面において、受験者は、対象試験において自身が選択した選択肢に対応するチェックボックスを選択する操作を行う。なお、この動作例に係る対象試験は、正解とされる選択肢の数は設問毎に異なっている。対象試験には、正解とされる選択肢の数が１の設問に限らず、例えば正解とされる選択肢の数が２または３である設問も含まれる。
【００３０】
受験者は各設問において自身が選択した選択肢に対応するチェックボックスを選択し、「登録」ボタンを選択する。受験者により「登録」ボタンが選択されると、ステップＳ１１において、クライアント端末２０は、受験者が複数の設問の各々において選択した選択肢を示すデータ（以下「選択結果データ」という）をサーバ１０へ送信する。ステップＳ１２において、サーバ１０はクライアント端末２０から選択結果データを受信する。なお、サーバ１０は、選択結果データを複数のクライアント端末２０から異なるタイミングでそれぞれ受信する。
【００３１】
ステップＳ１３において、サーバ１０は、受信された選択結果データに基づいて、対象試験に含まれる複数の設問の各々において複数の受験者により選択された選択肢を集計する。この実施形態では、サーバ１０は、複数の設問の各々において、各選択肢の得票数をカウントし、カウント結果に従って各選択肢の得票率を算出する。なお、集計の態様はこれに限られず、他の態様であってもよい。例えば、サーバ１０は、各選択肢の得票数をカウントするのみであってもよい。サーバ１０による集計結果は、サーバ１０の予め定められた記憶領域に記憶される。
【００３２】
ステップＳ１４において、サーバ１０は、対象試験に含まれる設問毎に、各設問において正解とされる数の選択肢を、受験者によって選択された割合（得票率）の多い順に特定する。以下の説明では、このステップで特定される選択肢を「特定選択肢」という。
【００３３】
ステップＳ１５において、サーバ１０は、ステップＳ１１で選択結果データの送信元のクライアント端末２０に対応する受験者について、上記特定選択肢とこの受験者によって選択された選択肢とを比較し、複数の設問におけるこの受験者の解答と上記特定選択肢との一致率を算出する。この一致率は、複数の設問をグループ化してグループ毎（例えば科目毎）に算出されてもよい。サーバ１０により算出された一致率を示すデータおよび特定選択肢を示すデータは、サーバ１０の予め定められた記憶領域に記憶される。
【００３４】
また、ステップＳ１５１において、サーバ１０は、算出された一致率に基づいて、その受験者の合格可能性を推定する。この推定は、例えば、サーバ１０は、算出された一致率に従って、合格可能性を示すランク（例えば、Ａランク、Ｂランク、Ｃランク、など）を特定してもよい。また、他の例として、例えば、サーバ１０は、算出された一致率を予め定められた関数を用いて変換し、変換された値に応じて合格可能性を示すランクを特定してもよい。
【００３５】
また、サーバ１０は、設問毎に設定された重み付け係数を用いて合格可能性を推定してもよい。このとき、サーバ１０は、割れ問の重み付け係数を割れ問以外の設問（以下「通常設問」という）の重み付け係数よりも小さくしてもよい。具体的には、例えば、サーバ１０は、正解したと推定される（その受験者の選択した選択肢が特定選択肢と一致している）割れ問の数に０．５を乗算した値と、正解したと推定される（その受験者の選択した選択肢が特定選択肢と一致している）通常設問の数との合計値を、割れ問の総数に０．５を乗算した値と通常設問の総数との合計値で除算することにより、割れ問の重み付けを軽くした一致率を算出し、算出した一致率に基づいて合格可能性を特定してもよい。サーバ１０により算出された合格可能性を示すデータは、サーバ１０の予め定められた記憶領域に記憶される。
【００３６】
ステップＳ１６において、サーバ１０は、解答の入力を受け付けた旨を示すレスポンスをクライアント端末２０に送信する。なお、レスポンスの送信タイミングはこれに限られない。例えば、ステップＳ１２の処理を行うに先立ってレスポンスが送信されてもよい。
【００３７】
サーバ１０からレスポンスを受信すると、クライアント端末２０は、ステップＳ１７において、再度図７に例示したメニュー選択画面を表示する。受験者は、図７に示す画面が表示されている状態において、「集計結果を表示」のメニューを選択する操作を行う。「集計結果を表示」のメニューが選択されると、ステップＳ１８において、クライアント端末２０は集計結果の表示画面の取得要求をサーバ１０に送信する。なお、解答入力の動機を与えるため、「集計結果を表示」のボタンは、解答の入力が完了している場合にのみ表示されてもよい。
【００３８】
ステップＳ１９において、サーバ１０は、ステップＳ１８で送信された取得要求の送信元であるクライアント端末２０において上記集計された集計結果を示すデータを送信（出力）する。このとき、サーバ１０は、対象試験に含まれる複数の設問のうち、各設問に含まれる２以上の選択肢の割合の関係性が予め定められた条件を満たす特定設問（割れ問）を表示するためのデータもあわせてクライアント端末２０に送信（出力）する。この実施形態において、「割れ問（特定設問）」とは、その設問の選択肢を得票率の高い順に並べた場合に、正解とされる数の順位（ｎ位）の選択肢の得票率と、正解とされる数の次の順位（（ｎ＋１）位）の選択肢の得票率との差が小さいことを示す条件を満たす設問をいう。
【００３９】
この例で、「割れ問（特定設問）」は、その設問の選択肢を得票率の高い順に（すなわち降順に）並べた場合に、正解とされる数の順位であるｎ位の選択肢の得票率に対する、その次の順位である（ｎ＋１）位の選択肢の得票率の割合が、しきい値（例えば７０％）以上である設問をいう。例えば、正解とされる選択肢の数が「１」の設問については、得票率が最も大きい選択肢の得票率に対する、その次の順位（すなわち第２位）の選択肢の得票率の割合が７０％以上である場合に、その設問は割れ問であると特定される。より具体的には、選択された割合が最も大きい選択肢の得票率が５０％である場合、第２位の選択肢の得票率が（５０×０．７＝）３５％以上である設問は割れ問であると特定される。一方、第２位の選択肢の得票率が３５％未満である設問は割れ問でないと判定される。
【００４０】
正解とされる選択肢の数が複数の場合も、同様の処理により特定される。例えば、正解とされる選択肢の数が「２」である設問の場合、その設問の選択肢を得票率の高い順に並べて得票率が第２位の選択肢の得票率に対する、第３位の選択肢の得票率が７０％以上である場合に、その設問が割れ問であると特定される。また、例えば、正解とされる選択肢の数が「３」である設問においては、その設問の選択肢を得票率の高い順に並べた場合の第３位の選択肢の得票率に対する、第４位の選択肢の得票率が７０％以上である場合に、その設問が割れ問であると特定される。
【００４１】
また、サーバ１０は、ステップＳ１９において、上記割れ問について、受験者が議論するための掲示板にアクセスするためのリンクを表示するためのデータをクライアント端末２０に送信する。
【００４２】
ステップＳ２０において、クライアント端末２０は、サーバ１０により出力されたデータに従って、集計結果および割れ問を表示装置に表示する。
【００４３】
図９はクライアント端末２０によって表示装置に表示される集計結果および割れ問を表す画面の一例を示す図である。図９の例では、複数の設問の各々を識別する番号（以下「設問番号」という）が表示されるとともに、複数の設問の各々について、全得票数および複数の選択肢のそれぞれの得票率が集計結果として表示されている。また、各設問において、特定選択肢が「予想解答」として太字で示されるとともに、その受験者が選択した選択肢が「自分の解答」として下線付きで示されている。
【００４４】
また、図９の例では、割れ問であることを示すアイコンＩ１、Ｉ２が設問番号に隣接する位置に表示される。これらのアイコンは、受験者が議論するための掲示板にアクセスするためのリンクを表示するものである。この動作例では、割れ問がさらに細分化して区分されて表示される。具体的には、ｎ位の選択肢の得票率に対する（ｎ＋１）位の選択肢の得票率の割合が９０％以上の設問には「激割れ」と記されたアイコンが表示され、８０％以上９０％未満の設問には「割れ問」と記されたアイコンが表示され、７０％以上８０％未満の設問には「チョイ割れ」と記されたアイコンが表示される。なお、上記差が７０％未満の設問にはアイコンは表示されない。この動作例では、これらの割れ問の種別（「激割れ」、「チョイ割れ」、など）を示すデータが、サーバ１０によりクライアント端末２０に送信され、クライアント端末２０はサーバ１０から受信されるデータに従ってこれらのアイコンを表示させる。
【００４５】
受験者は図９に例示される画面を確認することにより、他の受験者の選択結果を含む集計結果を把握することができ、自身の選択結果との差分を認識することができる。このとき、割れ問についてはその旨を示すアイコンが表示されるため、どの設問が割れ問であったかを把握し易い。
【００４６】
図９に例示される画面において、割れ問であることを示すアイコンを選択する操作が受験者により行われると、ステップＳ２１において、クライアント端末２０は、選択されたアイコンに対応するデータの取得要求をサーバ１０に送信する。
【００４７】
ステップＳ２２において、サーバ１０は、クライアント端末２０から受信された取得要求に対応する掲示板の画面を表すデータをクライアント端末２０に送信する。ステップＳ２３において、クライアント端末２０は、サーバ１０から受信されたデータに従って掲示板を表示装置に表示する。
【００４８】
図１０は表示装置に表示される掲示板の画面の一例を示す図である。この掲示板において、各質問に対するコメントに受験者が評価を行うために、投稿された回答（コメント）に投票するためのアイコンＩ１１、Ｉ１２などが表示されてもよい。これらのアイコンを用いた投票によりベストアンサーが選出される。受験者によりアイコンＩ１１、Ｉ１２が押下されると、その旨を示すデータがクライアント端末２０からサーバ１０へ送信され、サーバ１０で投票結果が集計される。この場合、投票で選出されたベストアンサーが最上位に表示されるようにクライアント端末２０および／またはサーバ１０で制御が行われてもよい。
【００４９】
次いで、メニュー選択画面において受験者により「一致率を表示」のメニューが選択された場合の動作を説明する。「一致率を表示」が選択された場合、ステップＳ２４において、クライアント端末２０は、一致率を表示する画面（以下「一致率表示画面」という）のデータの取得要求をサーバ１０に送信する。
【００５０】
ステップＳ２５において、サーバ１０は、受信された取得要求の応答として、取得要求の送信元であるクライアント端末２０に対応する受験者について算出された一致率を表示するためのデータ、およびその一致率に基づいて推定された合格可能性を示すデータを、クライアント端末２０に送信（出力）する。クライアント端末２０は、ステップＳ２６において、サーバ１０から出力されたデータに従って一致率および合格可能性を表示装置に表示する。
【００５１】
図１１は表示装置に表示される一致率および合格可能性を表す画面の一例を示す図である。図１１の例では、その受験者の解答と特定選択肢との一致率を示す数値が科目毎に表示されるとともに、合格可能性を示すランクが表示される。
【００５２】
この実施形態では、複数の受験者の解答結果を集計して特定選択肢を設問毎に特定し、特定された特定選択肢と各受験者の解答結果との一致率がクライアント端末２０に表示されるとともに、割れ問が含まれる場合に割れ問を示す画像が表示される。受験者は、クライアント端末２０に表示された画面をみることで、自身の試験の出来具合を把握し易い。
【００５３】
特に、この実施形態では、複数の受験者の得票率を集計し、一致率を表示することにより、おおよその点数を試験終了直後から推定することができる。また、多数の受験者が解答出来ている設問に解答出来ていることが合格という観点において重要である場合があり、実際の採点よりも本実施形態で推定される合格可能性が有益となる場合もある。
【００５４】
また、この実施形態では、割れ問について議論するための掲示板が割れ問毎に設けられ、受験者に提供される。受験者は、この掲示板を用いて他の受験者にその設問について質問したりする等、議論することができる。このように、合格の推定に対して曖昧な位置づけである割れ問に対して受験者が議論をすることができ、これにより、合格可能性の推定の精度が高められる。また、掲示板上でベストアンサーが提示されることにより、受験者の承認欲求が満たされるとともに、質の高い解説を提供することができる。
【００５５】
［２］変形例
上述した実施形態は本発明の実施の一例に過ぎず以下のように変形させてもよい。また、上述した実施形態および以下に示す各変形例は必要に応じて組み合わせて実施してもよい。
【００５６】
（１）上述の実施形態では、サーバ１０は、設問毎に設けられた複数の選択肢を降順に並べた場合の、正解とされる数の順位（ｎ位）の選択肢の得票率に対する、その次の順位（（ｎ＋１）位）の選択肢の得票率の割合が予め定められた閾値以上である設問を、割れ問（特定設問）とした。割れ問を特定する方法はこれに限られない。例えば、サーバ１０は、ｎ位の選択肢の得票率と（ｎ＋１）位の得票率との差分が予め定められた閾値（例えば、３０％ポイント）未満である設問を、割れ問として特定してもよい。この閾値は、正解とされる選択肢の数に応じて変化してもよい。一例としては、正解とされる選択肢の数が１つである設問（択一問題）に対しては閾値が３０％ポイントであり、正解とされる選択肢の数が２つである設問に対しては閾値が１５％ポイントである。
【００５７】
また、上述の実施形態では、サーバ１０は、ｎ位の選択肢の得票率と（ｎ＋１）位の選択肢の得票率との差が小さいことを示す条件を満たすものを割れ問として特定したが、割れ問を特定する方法はこれに限られない。例えば、サーバ１０は、その設問に含まれる２以上の選択肢の割合の関係性（例えば、差または比）が予め定められた条件を満たす設問を割れ問として特定してもよい。一例としては、（ｎ＋１）位と（ｎ＋２）位の得票率の差が閾値よりも大きい場合に、この設問が割れ問と特定される。あるいは、（ｎ＋１）位の得票率に対する（ｎ＋２）位の得票率の比が閾値より小さい場合に、この設問が割れ問と特定される。別の例で、サーバ１０は、その設問に含まれる全ての選択肢の割合がそれぞれ予め定められた範囲内の数値である場合に、その設問を割れ問として特定してもよい。一例としては、選択肢が５つある択一問題において、第１位の選択肢の得票率が４０〜５５％であり、第２位の選択肢の得票率が３０〜５０％であり、第３位以下の得票率が１０％以下である場合に、この設問が割れ問と特定される。さらに別の例で、対象となる設問の（ｎ＋１）位の選択肢の得票率が全設問の（ｎ＋１）位の得票率の平均値よりも大きく、かつ両者に統計上の有意差がある場合に、この設問が割れ問と特定される。また、割れ問を特定する際、選択肢の得票率に係る複数の条件が組み合わされて用いられてもよい。例えば、選択肢の得票率の関係性についての複数の条件のうち、２以上の条件を満たす設問が割れ問として特定されてもよい。一例としては、得票率が（ｎ＋１）位までの選択肢の合計得票率が８０％以上であり、かつ、ｎ位と（ｎ＋１）位との得票率の差が閾値よりも小さいという条件が用いられる。また、割れ問を特定および表示する機能は省略されてもよい。
【００５８】
（２）上述の実施形態では、クライアント端末２０は、合格可能性をランク分けして表示したが、合格可能性の表示態様は上述したものに限られない。例えば、クライアント端末２０は、合格可能性を示す数値（例えば、「９２％」）を表示装置に表示させてもよい。
【００５９】
また、上述の実施形態では、一致率や合格可能性を表示するためのメニューが、メニュー選択画面（図７）に表示され、このメニューが選択されることによって一致率や合格可能性が表示された。一致率や合格可能性が表示されるタイミングはこれに限られない。例えば、受験者が自身の解答結果を送信した（図５のステップＳ１１）後に、メニュー選択画面が表示されることなく、一致率や合格可能性が表示された画面（図１１の画面）が表示されてもよい。また、この場合に、図１１の画面が表示されている状態において受験者が画面を下にスクロールすると図９の集計結果画面が表示されるように制御が行われてもよい。
【００６０】
また、上述の実施形態では、サーバ１０が合格可能性を推定する方法として、割れ問の重み付けを大きくして推定を行う例を説明したが、合格可能性の推定の方法は上述したものに限られない。例えば、サーバ１０は、設問数、各設問に含まれる選択肢の数、設問のカテゴリ（例えば医師国家試験の場合、必修、一般、臨床、各論、総論、など）、および／または（得票率の差や比だけでなく）得票率そのものの値、が考慮された条件により設問の重み付けを行ってもよい。
【００６１】
（３）上述の実施形態において、集計結果を用いた次回の試験のための過去問演習のサイトが開設されてもよい。この場合、メニュー選択画面に「過去問演習」のメニューが表示され、受験者によりこのメニューが選択されると、過去問演習のための画面が表示される。例えば、クライアント端末２０は、対象試験に含まれる複数の設問の各々について、問題文を表示するとともに、複数の選択肢の各々に対応するチェックボックスを表示する。受験者によりチェックボックスが選択されると、選択結果を示すデータがクライアント端末２０からサーバ１０へ送信される。サーバ１０は受信されたデータに対応する選択肢と特定選択肢とを比較し、受験者の解答の正誤判定を行う。
この態様によれば、解答集計システム１は、次回の試験のための過去問演習および解説サイトを試験直後から受験者に提供することができる。また、受験者は試験の公開直後から過去問を演習することができる。
【００６２】
この過去問演習の機能において、上述した掲示板において各設問のベストアンサーとして選ばれた回答（コメント）が、その設問の解説としてクライアント端末２０に提供されてもよい。また、過去問演習の画面は例えばスマートフォン用に調整されてクライアント端末２０に提供されてもよい。
【００６３】
また、過去問演習のメニューにおいて、受験者の成績を管理する機能が設けられてもよい。例えば、サーバ１０が、受験者による過去問の解答結果に応じて、学習の進捗状況や分野毎の正解率を集計し、集計結果を示すデータをクライアント端末２０に提供してもよい。また、受験者が自信のない設問をマークする機能が設けられてもよい。受験者の成績を管理する機能を設けることにより、受験者は自身の学習の進捗状況や分野毎の理解力を確認することができる。また、自信のない設問がマークされることにより、後で見返す設問を設定することができ、学習をより効率的に進めることができる。
【００６４】
（４）上述の実施形態では、受験者は解答集計システム１を利用するためにユーザ登録を行う必要があったが、ユーザ登録を必要としない構成としてもよい。この場合、例えば、サーバ１０が仮のユーザＩＤ（仮ユーザＩＤ）を発行してクライアント端末２０が仮ユーザＩＤを表示装置に表示させ、表示された仮ユーザＩＤを受験者自身が記憶して用いることにより、受験者が識別されてもよい。また、上述の実施形態において、クライアント端末２０が、Ｗｅｂブラウザのcookie（またはキャッシュ）にログイン情報を記録し、次回以降のログインに係るユーザ入力が省略される構成であってもよい。
【００６５】
（５）上述の実施形態において、一致率の分布図がクライアント端末２０で表示されてもよい。例えば、横軸が一致率を示し、縦軸が度数を示す分布図がクライアント端末２０に表示されるとともに、クライアント端末２０に対応する受験者の一致率がどこに位置するかを示す画像があわせて表示されてもよい。
【００６６】
（６）上述の実施形態では、クライアント端末２０はＷｅｂブラウザによりサーバ１０とデータの授受を行ったが、解答集計システム１を利用するためのアプリケーションはＷｅｂブラウザに限られない。例えば、専用のアプリケーションがクライアント端末２０にインストールされてそのアプリケーションがサーバ１０とデータの遣り取りを制御してもよい。
【００６７】
また、クライアント端末２０はタッチディスプレイを備えるスマートフォンなどの端末であってもよく、また、タッチディスプレイ以外の入力インタフェース（例えば、マウスやキーボードなど）によりユーザ入力がなされるパーソナルコンピュータであってもよい。
【００６８】
（７）上述の実施形態に係る掲示板において、コメントの質や量の向上のため、よい評価を受けたコメントをした受験者に対して、ランク付けが行われてもよい。例えば、サーバ１０が受験者による投票結果を集計し、集計結果に従って、評価が予め定められた基準値を超えたコメントをした受験者のランクを予め定められたランクとして特定し、特定結果を示すデータを出力してもよい。
【００６９】
（８）解答集計システム１における機能の分担は実施形態で例示したものに限定されない。実施形態においてサーバ１０の機能として説明したものの一部を、クライアント端末２０に実装してもよい。例えば、合格可能性の推定処理をクライアント端末２０に実装してもよい。また、サーバ１０およびクライアント端末２０のハードウェア構成は実施形態で例示したものに限定されない。要求される機能を実現できるものであれば、サーバ１０およびクライアント端末２０は、どのようなハードウェア構成を有していてもよい。
【００７０】
（９）解答集計システム１に係るプログラムは、光ディスク、磁気ディスク、半導体メモリなどの記憶媒体により提供されてもよいし、インターネット等の通信回線を介してダウンロードされてもよい。なお、このプログラムは、図５の全てのステップを備える必要はなく、その一部のみを備えていてもよい。
【符号の説明】
【００７１】
１…解答集計システム、２…ネットワーク、１０…サーバ、２０…クライアント端末、１０１，２０１…メモリ、１０２，２０２…プロセッサ、１０３，２０３…通信ＩＦ、１１１…受信手段、１１２…集計手段、１１３…特定手段、１１４…算出手段、１１５…出力手段、１１６…推定手段、１１７…記憶手段、２０４…タッチディスプレイ、２１１…受付手段、２１２…送信手段、２１３…表示制御手段、２１４…表示手段。
【図１】
2018105897.tif 000003
【図２】
2018105897.tif 000004
【図３】
2018105897.tif 000005
【図４】
2018105897.tif 000006
【図５】
2018105897.tif 000007
【図６】
2018105897.tif 000008
【図７】
2018105897.tif 000009
【図８】
2018105897.tif 000010
【図９】
2018105897.tif 000011
【図１０】
2018105897.tif 000012
【図１１】
2018105897.tif 000013
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と
を備え、
前記出力手段は、前記特定設問について、前記受験者が議論するための掲示板にアクセスするためのリンクを表示するためのデータを前記クライアント端末に出力する
情報処理装置。
【請求項２】
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と、
前記一致率に基づいて前記一の受験者の合格可能性を推定する推定手段と
を備え、
前記推定手段は、前記特定設問の重み付け係数を他の設問の重み付け係数よりも小さくし、設問毎の重み付け係数を用いて前記受験者毎に前記合格可能性を推定し、
前記出力手段は、前記合格可能性を示すデータを前記クライアント端末に出力する
情報処理装置。
【請求項３】
前記出力手段は、前記割合の降順に前記選択肢を並べた場合に前記正解とされる数の順位の選択肢が選択された割合と当該正解とされる数の次の順位の選択肢が選択された割合との差が小さいことを示す条件を満たす特定設問を表示するためのデータを出力する
請求項１又は２に記載の情報処理装置。
【請求項４】
前記一致率に基づいて前記一の受験者の合格可能性を推定する推定手段を備え、
前記出力手段は、前記合格可能性を示すデータを前記クライアント端末に出力する
請求項１に記載の情報処理装置。
【請求項５】
コンピュータが行う情報処理方法であって、
与えられた選択肢の中から解答を選択する形式の複数の設問を含む試験について、複数の受験者の各々が前記複数の設問の各々において選択した選択肢を示すデータを受信するステップと、
前記受信されたデータに基づいて、前記複数の設問の各々において前記複数の受験者により選択された選択肢を集計するステップと、
前記設問毎に、当該設問において正解とされる数の選択肢を、前記受験者によって選択された割合の多い順に特定し、特定した選択肢を特定選択肢とするステップと、
前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力するとともに、前記特定設問について、前記受験者が議論するための掲示板にアクセスするためのリンクを表示するためのデータを前記クライアント端末に出力するステップと
を備える情報処理方法。
【請求項６】
コンピュータが行う情報処理方法であって、
与えられた選択肢の中から解答を選択する形式の複数の設問を含む試験について、複数の受験者の各々が前記複数の設問の各々において選択した選択肢を示すデータを受信するステップと、
前記受信されたデータに基づいて、前記複数の設問の各々において前記複数の受験者により選択された選択肢を集計するステップと、
前記設問毎に、当該設問において正解とされる数の選択肢を、前記受験者によって選択された割合の多い順に特定し、特定した選択肢を特定選択肢とするステップと、
前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、
前記一致率に基づいて前記一の受験者の合格可能性を推定するステップであって、前記特定設問の重み付け係数を他の設問の重み付け係数よりも小さくし、設問毎の重み付け係数を用いて前記受験者毎に前記合格可能性を推定するステップと、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力するとともに、前記合格可能性を示すデータを前記クライアント端末に出力するステップと
を備える情報処理方法。
【請求項７】
サーバと、クライアント端末とを備え、
前記サーバは、
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と
を有し、
前記クライアント端末は、
前記受験者により選択された前記設問毎の選択肢の入力を受け付ける受付手段と、
前記入力が受け付けられた選択肢を示すデータを前記サーバに送信する送信手段と、
前記サーバにより出力されたデータに従って、前記一致率および前記特定設問を表示装置に表示する表示制御手段と
を有し、
前記出力手段は、前記特定設問について、前記受験者が議論するための掲示板にアクセスするためのリンクを表示するためのデータを前記クライアント端末に出力する
システム。
【請求項８】
サーバと、クライアント端末とを備え、
前記サーバは、
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と、
前記一致率に基づいて前記一の受験者の合格可能性を推定する推定手段と
を有し、
前記クライアント端末は、
前記受験者により選択された前記設問毎の選択肢の入力を受け付ける受付手段と、
前記入力が受け付けられた選択肢を示すデータを前記サーバに送信する送信手段と、
前記サーバにより出力されたデータに従って、前記一致率および前記特定設問を表示装置に表示する表示制御手段と
を有し、
前記推定手段は、前記特定設問の重み付け係数を他の設問の重み付け係数よりも小さくし、設問毎の重み付け係数を用いて前記受験者毎に前記合格可能性を推定し、
前記出力手段は、前記合格可能性を示すデータを前記クライアント端末に出力する
システム。
【手続補正２】
【補正対象書類名】明細書
【補正対象項目名】０００５
【補正方法】変更
【補正の内容】
【０００５】
本発明は、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段とを備え、前記出力手段は、前記特定設問について、前記受験者が議論するための掲示板にアクセスするためのリンクを表示するためのデータを前記クライアント端末に出力する情報処理装置を提供する。
また、本発明は、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と、前記一致率に基づいて前記一の受験者の合格可能性を推定する推定手段とを備え、前記推定手段は、前記特定設問の重み付け係数を他の設問の重み付け係数よりも小さくし、設問毎の重み付け係数を用いて前記受験者毎に前記合格可能性を推定し、前記出力手段は、前記合格可能性を示すデータを前記クライアント端末に出力する情報処理装置を提供する。
【手続補正３】
【補正対象書類名】明細書
【補正対象項目名】０００６
【補正方法】変更
【補正の内容】
【０００６】
また、前記出力手段は、前記割合の降順に前記選択肢を並べた場合に前記正解とされる数の順位の選択肢が選択された割合と当該正解とされる数の次の順位の選択肢が選択された割合との差が小さいことを示す条件を満たす特定設問を表示するためのデータを出力してもよい。
【手続補正４】
【補正対象書類名】明細書
【補正対象項目名】０００７
【補正方法】変更
【補正の内容】
【０００７】
また、前記一致率に基づいて前記一の受験者の合格可能性を推定する推定手段を備え、前記出力手段は、前記合格可能性を示すデータを前記クライアント端末に出力してもよい。
【手続補正５】
【補正対象書類名】明細書
【補正対象項目名】０００８
【補正方法】変更
【補正の内容】
【０００８】
また、本発明は、コンピュータが行う情報処理方法であって、与えられた選択肢の中から解答を選択する形式の複数の設問を含む試験について、複数の受験者の各々が前記複数の設問の各々において選択した選択肢を示すデータを受信するステップと、前記受信されたデータに基づいて、前記複数の設問の各々において前記複数の受験者により選択された選択肢を集計するステップと、前記設問毎に、当該設問において正解とされる数の選択肢を、前記受験者によって選択された割合の多い順に特定し、特定した選択肢を特定選択肢とするステップと、前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力するとともに、前記特定設問について、前記受験者が議論するための掲示板にアクセスするためのリンクを表示するためのデータを前記クライアント端末に出力するステップとを備える情報処理方法を提供する。
また、本発明は、コンピュータが行う情報処理方法であって、与えられた選択肢の中から解答を選択する形式の複数の設問を含む試験について、複数の受験者の各々が前記複数の設問の各々において選択した選択肢を示すデータを受信するステップと、前記受信されたデータに基づいて、前記複数の設問の各々において前記複数の受験者により選択された選択肢を集計するステップと、前記設問毎に、当該設問において正解とされる数の選択肢を、前記受験者によって選択された割合の多い順に特定し、特定した選択肢を特定選択肢とするステップと、前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、前記一致率に基づいて前記一の受験者の合格可能性を推定するステップであって、前記特定設問の重み付け係数を他の設問の重み付け係数よりも小さくし、設問毎の重み付け係数を用いて前記受験者毎に前記合格可能性を推定するステップと、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力するとともに、前記合格可能性を示すデータを前記クライアント端末に出力するステップとを備える情報処理方法を提供する。
【手続補正６】
【補正対象書類名】明細書
【補正対象項目名】０００９
【補正方法】変更
【補正の内容】
【０００９】
また、本発明は、サーバと、クライアント端末とを備え、前記サーバは、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段とを有し、前記クライアント端末は、前記受験者により選択された前記設問毎の選択肢の入力を受け付ける受付手段と、前記入力が受け付けられた選択肢を示すデータを前記サーバに送信する送信手段と、前記サーバにより出力されたデータに従って、前記一致率および前記特定設問を表示装置に表示する表示制御手段とを有し、前記出力手段は、前記特定設問について、前記受験者が議論するための掲示板にアクセスするためのリンクを表示するためのデータを前記クライアント端末に出力するシステムを提供する。
また、本発明は、サーバと、クライアント端末とを備え、前記サーバは、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と、前記一致率に基づいて前記一の受験者の合格可能性を推定する推定手段とを有し、前記クライアント端末は、前記受験者により選択された前記設問毎の選択肢の入力を受け付ける受付手段と、前記入力が受け付けられた選択肢を示すデータを前記サーバに送信する送信手段と、前記サーバにより出力されたデータに従って、前記一致率および前記特定設問を表示装置に表示する表示制御手段とを有し、前記推定手段は、前記特定設問の重み付け係数を他の設問の重み付け係数よりも小さくし、設問毎の重み付け係数を用いて前記受験者毎に前記合格可能性を推定し、前記出力手段は、前記合格可能性を示すデータを前記クライアント端末に出力するシステムを提供する。
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と
を備え、
前記出力手段は、前記特定設問について、前記受験者が議論するための掲示板にアクセスするためのリンクを表示するためのデータを前記クライアント端末に出力する
情報処理装置。
【請求項２】
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と、
前記一致率に基づいて前記一の受験者の合格可能性を推定する推定手段と
を備え、
前記推定手段は、前記特定設問の重み付け係数を他の設問の重み付け係数よりも小さくし、設問毎の重み付け係数を用いて前記受験者毎に前記合格可能性を推定し、
前記出力手段は、前記合格可能性を示すデータを前記クライアント端末に出力する
情報処理装置。
【請求項３】
前記出力手段は、前記割合の降順に前記選択肢を並べた場合に前記正解とされる数の順位の選択肢が選択された割合と当該正解とされる数の次の順位の選択肢が選択された割合との差が小さいことを示す条件を満たす特定設問を表示するためのデータを出力する
請求項１又は２に記載の情報処理装置。
【請求項４】
前記一致率に基づいて前記一の受験者の合格可能性を推定する推定手段を備え、
前記出力手段は、前記合格可能性を示すデータを前記クライアント端末に出力する
請求項１に記載の情報処理装置。
【請求項５】
コンピュータが行う情報処理方法であって、
与えられた選択肢の中から解答を選択する形式の複数の設問を含む試験について、複数の受験者の各々が前記複数の設問の各々において選択した選択肢を示すデータを受信するステップと、
前記受信されたデータに基づいて、前記複数の設問の各々において前記複数の受験者により選択された選択肢を集計するステップと、
前記設問毎に、当該設問において正解とされる数の選択肢を、前記受験者によって選択された割合の多い順に特定し、特定した選択肢を特定選択肢とするステップと、
前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力するとともに、前記特定設問について、前記受験者が議論するための掲示板にアクセスするためのリンクを表示するためのデータを前記クライアント端末に出力するステップと
を備える情報処理方法。
【請求項６】
コンピュータが行う情報処理方法であって、
与えられた選択肢の中から解答を選択する形式の複数の設問を含む試験について、複数の受験者の各々が前記複数の設問の各々において選択した選択肢を示すデータを受信するステップと、
前記受信されたデータに基づいて、前記複数の設問の各々において前記複数の受験者により選択された選択肢を集計するステップと、
前記設問毎に、当該設問において正解とされる数の選択肢を、前記受験者によって選択された割合の多い順に特定し、特定した選択肢を特定選択肢とするステップと、
前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、
前記一致率に基づいて前記一の受験者の合格可能性を推定するステップであって、前記複数の設問の各々において各設問に含まれる２以上の選択肢の前記割合の関係性が予め定められた条件を満たす特定設問の重み付け係数を、他の設問の重み付け係数よりも小さくし、設問毎の重み付け係数を用いて前記受験者毎に前記合格可能性を推定するステップと、
前記一の受験者のクライアント端末において前記一致率を表示するためのデータ、および前記特定設問を表示するためのデータを出力するとともに、前記合格可能性を示すデータを前記クライアント端末に出力するステップと
を備える情報処理方法。
【請求項７】
サーバと、クライアント端末とを備え、
前記サーバは、
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と
を有し、
前記クライアント端末は、
前記受験者により選択された前記設問毎の選択肢の入力を受け付ける受付手段と、
前記入力が受け付けられた選択肢を示すデータを前記サーバに送信する送信手段と、
前記サーバにより出力されたデータに従って、前記一致率および前記特定設問を表示装置に表示する表示制御手段と
を有し、
前記出力手段は、前記特定設問について、前記受験者が議論するための掲示板にアクセスするためのリンクを表示するためのデータを前記クライアント端末に出力する
システム。
【請求項８】
サーバと、クライアント端末とを備え、
前記サーバは、
与えられた選択肢の中から解答を選択する形式の複数の設問を含む試験について、複数の受験者の各々が前記複数の設問の各々において選択した選択肢を示すデータを受信する受信手段と、
前記受信されたデータに基づいて、前記複数の設問の各々において前記複数の受験者により選択された選択肢を集計する集計手段と、
前記設問毎に、当該設問において正解とされる数の選択肢を、前記受験者によって選択された割合の多い順に特定し、特定した選択肢を特定選択肢とする特定手段と、
前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、
前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と、
前記一致率に基づいて前記一の受験者の合格可能性を推定する推定手段と
を有し、
前記クライアント端末は、
前記受験者により選択された前記設問毎の選択肢の入力を受け付ける受付手段と、
前記入力が受け付けられた選択肢を示すデータを前記サーバに送信する送信手段と、
前記サーバにより出力されたデータに従って、前記一致率および前記特定設問を表示装置に表示する表示制御手段と
を有し、
前記推定手段は、前記特定設問の重み付け係数を他の設問の重み付け係数よりも小さくし、設問毎の重み付け係数を用いて前記受験者毎に前記合格可能性を推定し、
前記出力手段は、前記合格可能性を示すデータを前記クライアント端末に出力する
システム。
【手続補正２】
【補正対象書類名】明細書
【補正対象項目名】０００５
【補正方法】変更
【補正の内容】
【０００５】
本発明は、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段とを備え、前記出力手段は、前記特定設問について、前記受験者が議論するための掲示板にアクセスするためのリンクを表示するためのデータを前記クライアント端末に出力する情報処理装置を提供する。
また、本発明は、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と、前記一致率に基づいて前記一の受験者の合格可能性を推定する推定手段とを備え、前記推定手段は、前記特定設問の重み付け係数を他の設問の重み付け係数よりも小さくし、設問毎の重み付け係数を用いて前記受験者毎に前記合格可能性を推定し、前記出力手段は、前記合格可能性を示すデータを前記クライアント端末に出力する情報処理装置を提供する。
【手続補正３】
【補正対象書類名】明細書
【補正対象項目名】０００６
【補正方法】変更
【補正の内容】
【０００６】
また、前記出力手段は、前記割合の降順に前記選択肢を並べた場合に前記正解とされる数の順位の選択肢が選択された割合と当該正解とされる数の次の順位の選択肢が選択された割合との差が小さいことを示す条件を満たす特定設問を表示するためのデータを出力してもよい。
【手続補正４】
【補正対象書類名】明細書
【補正対象項目名】０００７
【補正方法】変更
【補正の内容】
【０００７】
また、前記一致率に基づいて前記一の受験者の合格可能性を推定する推定手段を備え、前記出力手段は、前記合格可能性を示すデータを前記クライアント端末に出力してもよい。
【手続補正５】
【補正対象書類名】明細書
【補正対象項目名】０００８
【補正方法】変更
【補正の内容】
【０００８】
また、本発明は、コンピュータが行う情報処理方法であって、与えられた選択肢の中から解答を選択する形式の複数の設問を含む試験について、複数の受験者の各々が前記複数の設問の各々において選択した選択肢を示すデータを受信するステップと、前記受信されたデータに基づいて、前記複数の設問の各々において前記複数の受験者により選択された選択肢を集計するステップと、前記設問毎に、当該設問において正解とされる数の選択肢を、前記受験者によって選択された割合の多い順に特定し、特定した選択肢を特定選択肢とするステップと、前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力するとともに、前記特定設問について、前記受験者が議論するための掲示板にアクセスするためのリンクを表示するためのデータを前記クライアント端末に出力するステップとを備える情報処理方法を提供する。
また、本発明は、コンピュータが行う情報処理方法であって、与えられた選択肢の中から解答を選択する形式の複数の設問を含む試験について、複数の受験者の各々が前記複数の設問の各々において選択した選択肢を示すデータを受信するステップと、前記受信されたデータに基づいて、前記複数の設問の各々において前記複数の受験者により選択された選択肢を集計するステップと、前記設問毎に、当該設問において正解とされる数の選択肢を、前記受験者によって選択された割合の多い順に特定し、特定した選択肢を特定選択肢とするステップと、前記複数の受験者のうち対象となる一の受験者について、前記特定選択肢と当該一の受験者によって選択された選択肢とを比較し、前記複数の設問における当該一の受験者の解答と前記特定選択肢との一致率を算出するステップと、前記一致率に基づいて前記一の受験者の合格可能性を推定するステップであって、複数の設問の各々において各設問に含まれる２以上の選択肢の前記割合の関係性が予め定められた条件を満たす特定設問の重み付け係数を、他の設問の重み付け係数よりも小さくし、設問毎の重み付け係数を用いて前記受験者毎に前記合格可能性を推定するステップと、前記一の受験者のクライアント端末において前記一致率を表示するためのデータ、および前記特定設問を表示するためのデータを出力するとともに、前記合格可能性を示すデータを前記クライアント端末に出力するステップとを備える情報処理方法を提供する。
【手続補正６】
【補正対象書類名】明細書
【補正対象項目名】０００９
【補正方法】変更
【補正の内容】
【０００９】
また、本発明は、サーバと、クライアント端末とを備え、前記サーバは、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段とを有し、前記クライアント端末は、前記受験者により選択された前記設問毎の選択肢の入力を受け付ける受付手段と、前記入力が受け付けられた選択肢を示すデータを前記サーバに送信する送信手段と、前記サーバにより出力されたデータに従って、前記一致率および前記特定設問を表示装置に表示する表示制御手段とを有し、前記出力手段は、前記特定設問について、前記受験者が議論するための掲示板にアクセスするためのリンクを表示するためのデータを前記クライアント端末に出力するシステムを提供する。
また、本発明は、サーバと、クライアント端末とを備え、前記サーバは、与えられた選択肢の中から解答を選択する形式の複数の設問を含む試験について、複数の受験者の各々が前記複数の設問の各々において選択した選択肢を示すデータを受信する受信手段と、前記受信されたデータに基づいて、前記複数の設問の各々において前記複数の受験者により選択された選択肢を集計する集計手段と、前記設問毎に、当該設問において正解とされる数の選択肢を、前記受験者によって選択された割合の多い順に特定し、特定した選択肢を特定選択肢とする特定手段と、前記複数の受験者のうち対象となる一の受験者について、前記特定選択肢と当該一の受験者によって選択された選択肢とを比較し、前記複数の設問における当該一の受験者の解答と前記特定選択肢との一致率を算出する算出手段と、前記一の受験者のクライアント端末において前記一致率を表示するためのデータ、および前記複数の設問の各々において各設問に含まれる２以上の選択肢の前記割合の関係性が予め定められた条件を満たす特定設問を表示するためのデータを出力する出力手段と、前記一致率に基づいて前記一の受験者の合格可能性を推定する推定手段とを有し、前記クライアント端末は、前記受験者により選択された前記設問毎の選択肢の入力を受け付ける受付手段と、前記入力が受け付けられた選択肢を示すデータを前記サーバに送信する送信手段と、前記サーバにより出力されたデータに従って、前記一致率および前記特定設問を表示装置に表示する表示制御手段とを有し、前記推定手段は、前記特定設問の重み付け係数を他の設問の重み付け係数よりも小さくし、設問毎の重み付け係数を用いて前記受験者毎に前記合格可能性を推定し、前記出力手段は、前記合格可能性を示すデータを前記クライアント端末に出力するシステムを提供する。